(57)【要約】【課題】本発明のコリメータ装置は、筒状の装置本体にチャートとコリメータレンズとを設けて構成され、外光によってチャートを照明し、チャートを透過した外光をコリメータレンズによって平行光線束にし、これをレンズ装置に導き、カメラで撮像されたチャート像をみながらレンズ装置のマスターレンズを移動させることにより、撮影現場にてトラッキング調整可能な簡易型のコリメータ装置を提供する。【解決手段】コリメータ装置１０を、筒状の装置本体３６にチャート４４とコリメータレンズ４６とを設けて構成する。使用する場合には、コリメータ装置１０をシネマ用レンズ装置１２にねじ連結する。太陽光や室内蛍光灯等の外光によってチャート４４を照明し、チャート４４を透過した外光をコリメータレンズ４６、４６によって平行光線束にし、これをシネマ用レンズ装置１２に導き、カメラ３２のＣＣＤ３３で撮像する。ＣＣＤ３３で撮像されたチャート像をみながらトラッキングリング２２を回動操作して、マスターレンズ２８を移動させ、トラッキング調整を実施する。【選択図】        図１
2004157206.tif 000002
【特許請求の範囲】
【請求項１】
筒状に形成された装置本体と、
該装置本体の一端部に設けられるとともに、該装置本体をレンズ装置に着脱自在に連結するための連結部と、
該装置本体の他端部に設けられたチャートと、
該装置本体の内部に設けられるとともに前記チャートを通過した光を平行光線束にして前記レンズ装置に導くコリメータレンズと、
からなることを特徴とするコリメータ装置。
【請求項２】
前記コリメータ装置は、カメラから延設されたガイドバーに支持されることを特徴とする請求項１に記載のコリメータ装置。
【請求項３】
前記ガイドバーは、レンズフードを取り付けるためのバーであることを特徴とする請求項２に記載のコリメータ装置。
【発明の詳細な説明】
【０００１】
【発明の属する技術分野】
本発明はテレビカメラ用レンズ装置、特に映画撮影用に使用されるシネマ用レンズ装置のトラッキング調整を行う際に使用されるコリメータ装置に関する。
【０００２】
【従来の技術】
テレビカメラ用レンズ装置は、工場出荷時にフランジバック調整が実施され、その後、トラッキング調整が実施されて出荷される。
【０００３】
トラッキング調整は、通常オートコリメータ装置によって実施される。オートコリメータ装置は、ジーメンススター等の模様が印刷されたチャート、チャートを照明する光源、チャートを通過した光を平行光線束にしてレンズ装置に出射するコリメータレンズ、及びレンズ装置の結像位置（カメラのＣＣＤ結像位置に相当）に設けられた平面鏡、及び平面鏡で反射されたチャート像を観察する顕微鏡からなる大型で重量物の装置である（例えば、特許文献１参照）。
【０００４】
オートコリメータ装置によるトラッキング調整方法は、レンズ装置のズームレンズをテレ端及びワイド端にそれぞれ位置させ、その時の焦点位置が、カメラのＣＣＤ結像位置に位置するように、レンズ装置のマスターレンズを光軸方向に移動させることによって行われる。
【０００５】
【特許文献１】
特開２０００−９４２３号公報（第２頁  図３）
【０００６】
【発明が解決しようとする課題】
ところで、映画撮影に使用されるシネマ用レンズ装置は、撮影現場において、一つのカメラに対し、多種類のレンズ装置（例えばズームレンズを有するレンズ装置、短焦点のレンズ装置）が、頻繁に交換されて使用される。
【０００７】
このレンズ交換時に、レンズ装置側及びカメラ側の誤差等によって、工場出荷時に合わせたトラッキングの位置がズレしてしまう場合がある。
【０００８】
このような場合には、シネマ用レンズ装置のトラッキング調整をその場で再度実施しなければならないが、再調整するためのコリメータ装置としては、工場出荷時に使用する大がかりなコリメータ装置ではなく、現場にて簡単に調整できる簡易型のコリメータ装置が望まれていた。
【０００９】
本発明は、このような事情に鑑みてなされたもので、現場にて簡単にトラッキング調整可能な簡易型のコリメータ装置を提供することを目的とする。
【００１０】
【課題を解決するための手段】
本発明は、前記目的を達成するために、筒状に形成された装置本体と、該装置本体の一端部に設けられるとともに、該装置本体をレンズ装置に着脱自在に連結するための連結部と、該装置本体の他端部に設けられたチャートと、該装置本体の内部に設けられるとともに前記チャートを通過した光を平行光線束にして前記レンズ装置に導くコリメータレンズと、からなることを特徴としている。
【００１１】
請求項１に記載のコリメータ装置は、筒状の装置本体にチャートとコリメータレンズとを設けただけの簡単構造であり、装置本体に設けられた連結部を介してコリメータ装置をレンズ装置に連結し、太陽光や室内照明光等の外光によってチャートを照明し、チャートを透過した外光をコリメータレンズによって平行光線束にし、これをレンズ装置を介してカメラに導き、カメラで撮像されたチャート像をみながらレンズ装置のマスターレンズを光軸方向に移動させることにより、トラッキング調整を実施する。これにより、撮影現場にてトラッキング調整可能な簡易型のコリメータ装置を提供できる。
【００１２】
請求項２に記載のコリメータ装置は、カメラに予め設けられているガイドバーに、コリメータ装置を支持させることにより、コリメータ装置側の光軸をレンズ装置側の光軸と同一直線上で一致させた状態を保持させたので、トラッキング調整を正確に実施できる。
【００１３】
請求項３に記載の発明によれば、前記ガイドバーは、レンズフードを取り付けるためのバーを兼用したので、専用のガイドバーを別途設けることなく、コリメータ装置を支持できる。
【００１４】
【発明の実施の形態】
以下添付図面に従って本発明に係るコリメータ装置の好ましい実施の形態について詳述する。
【００１５】
図１は、実施の形態のコリメータ装置１０が、シネマ用レンズ装置１２に装着される状態を示した図である。
【００１６】
シネマ用レンズ装置１２は、鏡胴本体１４にフォーカスリング１６、ズームリング１８、アイリスリング２０、及びトラッキングリング２２がそれぞれ回動自在に設けられている。フォーカスリング１６に取り付けられた操作棒２４によって、フォーカスリング１６を手動で回動操作することにより、不図示のフォーカスレンズが光軸方向に移動され、フォーカシングが行われる。また、ズームリング１８に取り付けられた操作棒２６によって、ズームリング１８を手動で回動操作することにより、不図示のズームレンズが光軸方向に移動され、ズーミングが行われる。さらに、アイリスリング２０を回動操作すると、不図示の絞り装置が駆動され、絞り値が所望の値に設定される。
【００１７】
トラッキングリング２２は、図１上で破線で示したマスターレンズ２８を光軸方向に移動させてトラッキング調整を行うための操作リングであり、シネマ用レンズ装置１２の工場出荷時に装着される大がかりなオートコリメータ装置、及び撮影現場にて装着されるコリメータ装置１０によるトラッキング調整時に回動操作される。これにより、マスターレンズ２８が光軸方向に移動されてトラッキング調整が行われる。このように構成されたシネマ用レンズ装置１２は、そのマウント部３０がカメラ３２のマウント部３４に連結される。
【００１８】
コリメータ装置１０は、筒状に形成された装置本体３６を有し、装置本体３６の基端部には、雄ねじ部（連結部）３８が形成されている。この雄ねじ部３８は、シネマ用レンズ装置１２の前端のフード４０に形成されている雌ねじ部４２に螺合される。この雌ねじ部４２は、通常ＮＤフィルタ、ＵＶカットフィルタ等が取り付けられるためのねじである。これにより、コリメータ装置１０の光軸がシネマ用レンズ装置１２の光軸と同一直線上で一致した状態で、コリメータ装置１０がシネマ用レンズ装置１２に連結される。
【００１９】
装置本体３６の前端部には、図２に示すようにジーメンススター４３の模様が印刷されたチャート４４が取り付けられ、また、装置本体３６の内部には、図１の如くコリメータレンズ４６、４６が設けられている。
【００２０】
また、装置本体３６には、図２の如く一対の脚部４８、４８が下方に向けて突設され、脚部４８の下部に形成された軸受部５０にガイドバー５２が挿入される。軸受部５０には、固定用ボルト５４が外部から螺入されており、固定用ボルト５４を螺入していくことにより、ガイドバー５２が固定用ボルト５４によって軸受部５０に固定される。
【００２１】
ガイドバー５２は、図１に示すようにカメラ３２の下部に設けられた支持部５６から水平方向に予め延設されたレンズ支持用のガイドバーである。このガイドバー５２は、図１上で二点鎖線で示すレンズフード６０を支持するために設けられ、このガイドバー５２にコリメータ装置１０を支持させることにより、コリメータ装置支持用の専用ガイドバーが不要になり、かつ、コリメータ装置１０側の光軸がシネマ用レンズ装置１２側の光軸に一致した状態が保持される。
【００２２】
このように構成されたコリメータ装置１０によれば、筒状の装置本体３６にチャート４４とコリメータレンズ４６とを設けただけの簡単構造であるため、持ち運びが容易であり、撮影現場にて頻繁に交換されて使用されるシネマ用レンズ装置１２のトラッキング調整用のコリメータ装置に好適となる。
【００２３】
このコリメータ装置１０によるトラッキング調整方法は、まず、コリメータ装置１０をシネマ用レンズ装置１２にねじ連結する。次に、太陽光や室内蛍光灯等の外光によってチャート４４を照明し、チャート４４を透過した外光をコリメータレンズ４６、４６によって平行光線束にし、これをシネマ用レンズ装置１２に導き、カメラ３２のＣＣＤ３３で撮像する。そして、ＣＣＤ３３で撮像されたチャート像を、カメラ３２のビューファインダ（不図示）、又はモニタ（不図示）で観察しながら、ピントが合うようにシネマ用レンズ装置１２のトラッキングリング２２を回動操作してマスターレンズ２８を光軸方向に移動させ、トラッキング調整を実施する。これにより、撮影現場にてトラッキング調整可能な簡易型のコリメータ装置１０を提供できる。
【００２４】
また、コリメータ装置１０は、カメラ３２に予め設けられているガイドバー５２に、コリメータ装置１０側の脚部４８を支持させることにより、コリメータ装置１０側の光軸をシネマ用レンズ装置１２側の光軸と同一直線上で一致させた状態を保持させたので、トラッキング調整を正確に実施できる。
【００２５】
【発明の効果】
以上説明したように本発明に係るコリメータ装置によれば、筒状の装置本体にチャートとコリメータレンズとを設けただけの簡単構造であり、装置本体に設けられた連結部を介してレンズ装置にコリメータ装置を連結し、太陽光や室内照明光等の外光によってチャートを照明し、チャートを透過した外光をコリメータレンズによって平行光線束にし、これをレンズ装置に導き、カメラで撮像されたチャート像を観察しながらレンズ装置のマスターレンズを光軸方向に移動させることにより、トラッキング調整を実施するので、撮影現場にてトラッキング調整可能な簡易型のコリメータ装置を提供できる。
【００２６】
また、本発明のコリメータ装置は、カメラに予め設けられているレンズ支持部材に、コリメータ装置側の支持部を支持させることにより、コリメータ装置側の光軸をレンズ装置側の光軸と同一直線上で一致させた状態を保持させたので、トラッキング調整を正確に実施できる。
【図面の簡単な説明】
【図１】実施の形態のコリメータ装置がシネマ用レンズ装置に装着される状態を示した側面図
【図２】図１に示したコリメータ装置の正面図
【符号の説明】
１０…コリメータ装置、１２…シネマ用レンズ装置、１４…鏡胴本体、２２…トラッキングリング、２８…マスターレンズ、３２…カメラ、３６…装置本体、３８…雄ねじ部（連結部）、４２…雌ねじ部、４４…チャート、４６…コリメータレンズ、４８…脚部、５０…軸受部、５２…ガイドバー、５４…固定用ボルト
【図１】
2004157206.tif 000003
【図２】
2004157206.tif 000004